【手続補正書】
【提出日】平成15年7月9日(2003.7.9)
【手続補正１】
【補正対象書類名】明細書
【補正対象項目名】特許請求の範囲
【補正方法】変更
【補正の内容】
【特許請求の範囲】
【請求項１】
生体信号を検出する複数の電極と、
前記電極を支持し生体組織面に装着される支持体と、
前記電極により検出された信号を処理し、無線送信するための送信機とを具備する生体信号検出装置と、
前記生体信号検出装置の送信機から無線送信された信号を受信し、この受信された信号を復調して所要の記録手段の生体信号入力部に出力する端子を備えた受信機と、
前記受信機の端子を介して復調された信号を記録するための前記記録手段を備える記録器とから構成したホルタ心電計からなり、
前記ホルタ心電計の記録器には、前記記録手段に保存された信号を無線送信すると共に外部からの送信信号を受信し、外部からの送信信号の指示に基づいて、前記記録手段に保存された信号の一部または全部を無線送信するように構成した送受信手段を設けると共に、
前記ホルタ心電計の記録器の送受信手段と、中継送受信機および広域通信ネットワークを介して、前記記録手段に保存された信号の取込みおよび通信情報の送受信を行う送受信手段を備えた生体信号取込装置を設けたことを特徴とする生体信号等の通信システム。
【請求項２】
生体信号を検出する複数の電極と、
前記電極を支持し生体組織面に装着される支持体と、
前記電極により検出された信号を処理する電気回路と、この電気回路により処理された信号を保存するための記憶手段と、前記電気回路により処理される信号および前記記憶手段に保存された信号を無線送信すると共に外部からの送信信号の指示に基づいて前記記憶手段に保存された信号の一部または全部もしくは電気回路により処理される信号を無線送信する送受信機とを具備する生体信号検出装置とからなるホルタ心電計を設け、
前記ホルタ心電計の送受信機と、中継送受信機および広域通信ネットワークを介して、前記記憶手段に保存された信号の取込みおよび通信情報の送受信を行う送受信手段を備えた生体信号取込装置を設けたことを特徴とする生体信号等の通信システム。
【請求項３】
前記中継送受信機は、
前記ホルタ心電計の記録器に設けた送受信手段または送受信機と広域通信ネットワークとの間において通信情報を送受信し、
前記広域通信ネットワークは、前記中継送受信機と前記生体信号取込装置の送受信手段との間において通信情報を送受信するように構成してなる請求項１または２記載の生体信号等の通信システム。
【請求項４】
前記生体信号取込装置は、
前記ホルタ心電計の記録器に設けた記録手段または生体信号検出装置に設けた記憶手段に保存された信号のうち、取込むデータを指示する取込データ指示手段と、
前記取込データ指示手段により指定された指示情報を広域通信ネットワークおよび中継送受信機を介して前記ホルタ心電計の記録器に設けた記録手段または生体信号検出装置に設けた記憶手段へ送信する指示情報送信手段と、
前記中継送受信機および広域通信ネットワークを介して、前記ホルタ心電計の記録器に設けた送受信手段または生体信号検出装置に設けた送受信機から前記指示情報に基づいて送信された信号を受信する取込受信手段と、
前記取込受信手段により受信された信号を記憶する取込記憶手段とを備えることを特徴とする請求項１または２記載の生体信号等の通信システム。
【請求項５】
前記ホルタ心電計において、生体信号検出装置の送信機または送受信機から送信される無線信号を受信できない期間、不受信信号を発生する不受信信号発生手段を設けると共に、
前記不受信信号発生手段により発生した不受信信号を記録するための記録手段を設けることを特徴とする請求項１または２記載の生体信号等の通信システム。
【請求項６】
前記ホルタ心電計において、生体信号検出装置の送信機または送受信機から送信される無線信号より電極が生体組織面からはずれたことを認識し、その電極がはずれた期間、電極はずれ信号を発生する電極はずれ信号発生手段を設けると共に、
前記電極はずれ信号発生手段により発生した電極はずれ信号を記録するための記録手段をさらに設けることを特徴とする請求項１または２記載の生体信号等の通信システム。
【手続補正２】
【補正対象書類名】明細書
【補正対象項目名】００１３
【補正方法】変更
【補正の内容】
【００１３】
【課題を解決するための手段】
前記の目的を達成するため、本発明に係る生体信号等の通信システムは、生体信号を検出する複数の電極と、前記電極を支持し生体組織面に装着される支持体と、前記電極により検出された信号を処理し、無線送信するための送信機とを具備する生体信号検出装置と、前記生体信号検出装置の送信機から無線送信された信号を受信し、この受信された信号を復調して所要の記録手段の生体信号入力部に出力する端子を備えた受信機と、前記受信機の端子を介して復調された信号を記録するための前記記録手段を備える記録器とから構成したホルタ心電計からなり、  前記ホルタ心電計の記録器には、前記記録手段に保存された信号を無線送信すると共に外部からの送信信号を受信し、外部からの送信信号の指示に基づいて、前記記録手段に保存された信号の一部または全部を無線送信するように構成した送受信手段を設けると共に、
前記ホルタ心電計の記録器の送受信手段と、中継送受信機および広域通信ネットワークを介して、前記記録手段に保存された信号の取込みおよび通信情報の送受信を行う送受信手段を備えた生体信号取込装置を設けたことを特徴とする。


【手続補正３】
【補正対象書類名】明細書
【補正対象項目名】００１４
【補正方法】変更
【補正の内容】
【００１４】
代案として、本発明に係る生体信号等の通信システムは、生体信号を検出する複数の電極と、前記電極を支持し生体組織面に装着される支持体と、前記電極により検出された信号を処理する電気回路と、この電気回路により処理された信号を保存するための記憶手段と、前記電気回路により処理される信号および前記記憶手段に保存された信号を無線送信すると共に外部からの送信信号の指示に基づいて前記記憶手段に保存された信号の一部または全部もしくは電気回路により処理される信号を無線送信する送受信機とを具備する生体信号検出装置とからなるホルタ心電計を設け、
前記ホルタ心電計の送受信機と、中継送受信機および広域通信ネットワークを介して、前記記憶手段に保存された信号の取込みおよび通信情報の送受信を行う送受信手段を備えた生体信号取込装置を設けた構成とすることができる。


【手続補正４】
【補正対象書類名】明細書
【補正対象項目名】００１６
【補正方法】変更
【補正の内容】
【００１６】
また、前記の通信システムにおいて、前記生体信号取込装置は、前記ホルタ心電計の記録器に設けた記録手段または生体信号検出装置に設けた記憶手段に保存された信号のうち、取込むデータを指示する取込データ指示手段と、
前記取込データ指示手段により指定された指示情報を広域通信ネットワークおよび中継送受信機を介して前記ホルタ心電計の記録器に設けた記録手段または生体信号検出装置に設けた記憶手段へ送信する指示情報送信手段と、
前記中継送受信機および広域通信ネットワークを介して、前記ホルタ心電計の記録器に設けた送受信手段または生体信号検出装置に設けた送受信機から前記指示情報に基づいて送信された信号を受信する取込受信手段と、
前記取込受信手段により受信された信号を記憶する取込記憶手段とを備えた構成とすることができる。


【手続補正５】
【補正対象書類名】明細書
【補正対象項目名】００２９
【補正方法】変更
【補正の内容】
【００２９】
一方、前記各差動アンプの接続回路には、ＣＭ５  誘導電極はずれ検出器３０Ａ  と、ＮＡＳＡ誘導電極はずれ検出器３０Ｂ  と、ＣＣ５  誘導電極はずれ検出器３０Ｃ  とが、それぞれ設けられると共に、第２の接続部１２に対し接続部はずれ検出器３１が設けられる。しかるに、前記各電極はずれ検出器３０Ａ  、３０Ｂ  、３０Ｃ  は、第２の接続部１２に接続される第２の電極群Ｅｄ  １（＋）  、、Ｅｄ  ３（＋）  、Ｅｄ  ２（＋）  、Ｅｄ  ３（−）  について、患者ＰＢの生体組織部からの電極はずれ状態をそれぞれ検出して、各検出信号を出力するように構成される。


【手続補正６】
【補正対象書類名】明細書
【補正対象項目名】００３０
【補正方法】変更
【補正の内容】
【００３０】
このようにして得られる前記各電極はずれ検出器３０Ａ  、３０Ｂ  、３０Ｃ  の検出信号は、前記Ａ／Ｄ変換部３２の出力と共に、時分割多重化部３３に入力される。また、前記接続部はずれ検出器３１の検出信号は、第１の接続部１１側の差動アンプＡＭＰ１ｂ  とＡＭＰ１ｃ  、ＡＭＰ２ａ  とＡＭＰ２ｃ  の接続回路間に配置した切換部ＳＷに対し、後述する切換え接続操作を行うことにより、第１の電極群２０の各電極Ｅｄ  １（−）  とＥｄ  ２（−）  との間の電位差を検出するように構成配置されている。なお、参照符号３８は、前記電気回路の各部に電源を供給するための電源部を示すものである。


【手続補正７】
【補正対象書類名】明細書
【補正対象項目名】００３２
【補正方法】変更
【補正の内容】
【００３２】
（２）ホルタ心電計としての受信機１４の構成
しかるに、本実施例において、前記送信機１０から送信される心電図信号を、受信して記録するための受信機１４と記録手段としての記録部１６は、それぞれ図４および図５に示すように構成される。


【手続補正８】
【補正対象書類名】明細書
【補正対象項目名】００３３
【補正方法】変更
【補正の内容】
【００３３】
まず、図４において、受信機１４は、受信アンテナ３９を介して受信部５０および復調部５１が設けられる。前記受信部５０に対しては送信機１０からの電波切れを検出するための電波切れ検出器５２が接続されると共に、前記復調部５１に対しては前記送信機１０から送信される電極はずれ状態の信号の検出を行うための電極はずれ検出器５３が接続される。そして、前記電波切れ検出器５２と電極はずれ検出器５３によりそれぞれ検出された信号は、波形生成部５４において所要の波形成形が行われる。すなわち、前記電波切れ検出器５２は、送信機１０から送信される無線信号を受信できない状態において、その受信できない期間（不受信期間）、不受信信号を発生する不受信信号発生手段として構成される。また、前記電極はずれ検出器５３は、電極が生体組織面からはずれた状態において、送信機１０から送信される無線信号より電極がはずれたことを認識し、その電極がはずれた期間、電極はずれ信号を発生する電極はずれ信号発生手段として構成される。


【手続補正９】
【補正対象書類名】明細書
【補正対象項目名】００３４
【補正方法】変更
【補正の内容】
【００３４】
一方、前記復調部５１で復調された心電図信号は、適宜分割されてそれぞれＤ／Ａ変換器５５ａ〜５５ｃを介し、振幅調節部５６ａ〜５６ｃにおいて振幅調節が行われる。このようにして、振幅調節が行われる心電図信号は、前記電波切れ検出器５２および電極はずれ検出器５３におけるそれぞれの検出状態に伴う波形成形された信号と、選択的に出力し得るように、切換器５７および不平衡／平衡設定器５８を介して、後述する記録手段としての記録部１６の入力部コネクタ６１と接続するための出力部コネクタ６０に導出される。なお、参照符号５９は、前記受信機１４を構成する各部に電源を供給するための電源部を示すものである。


【手続補正１０】
【補正対象書類名】明細書
【補正対象項目名】００４６
【補正方法】変更
【補正の内容】
【００４６】
すなわち、図１１において、本実施例においては、前記前記実施例１の時分割多重化部３３に代えて、ＣＰＵ４０を設ける。このＣＰＵ４０においては、時間データ４１と、ＲＯＭおよびＲＡＭからなるメモリ部４２により設定された操作プログラムとに基づいて、各電極はずれ検出器３０Ａ  、３０Ｂ  、３０Ｃ  の検出信号と、前記Ａ／Ｄ変換器３２の出力とが入力され、データ記憶部４３に所要の心電図データを入力して記録するように構成される。そして、このデータ記憶部４３を介して、記録されたデータ信号を変調部４４により変調し、送受信アンテナ４７を介して外部へ無線送信すると共に、送受信アンテナ４７を介して外部より受信した信号を復調部４５により復調して、前記ＣＰＵ４０に入力する送受信部４６を設けた構成からなる。


【手続補正１１】
【補正対象書類名】明細書
【補正対象項目名】００４７
【補正方法】変更
【補正の内容】
【００４７】
（２）通信システムにおける中継送受信機１９および生体信号取込装置ＰＣの構成
本実施例においては、前記生体信号検出装置の送受信機１０Ａ  で検出および記録された心電図データは、前記実施例１におけるホルタ心電計としての受信機１４、記録器１６および送受信機１７を介することなく、前記送受信機１０Ａ  より直接あるいは携帯電話等の中継受信機１９を介して広域通信ネットワークにより、遠隔配置した生体信号取込装置ＰＣと接続することにより、患者側と医師側との間における心電図データおよび会話等の指示情報に関する送受信を相互に行うことができる。従って、本実施例においては、前記ホルタ心電計としての受信機１４（図１４参照）、記録器１６および送受信機１７（図５参照）の適用を省略することができる。そして、本実施例においては、前記実施例１において説明した中継送受信機１９（図６参照）および生体信号取込装置ＰＣ（図６参照）を、そのまま適用することができる。


【手続補正１２】
【補正対象書類名】図面
【補正対象項目名】図３
【補正方法】変更
【補正の内容】
【図３】
2001078974.tif 000001
【手続補正１３】
【補正対象書類名】図面
【補正対象項目名】図４
【補正方法】変更
【補正の内容】
【図４】
2001078974.tif 000002
【手続補正１４】
【補正対象書類名】図面
【補正対象項目名】図１１
【補正方法】変更
【補正の内容】
【図１１】
2001078974.tif 000003
【手続補正１５】
【補正対象書類名】図面
【補正対象項目名】図１４
【補正方法】変更
【補正の内容】
【図１４】
2001078974.tif 000004
【手続補正１６】
【補正対象書類名】図面
【補正対象項目名】図１５
【補正方法】変更
【補正の内容】
【図１５】
2001078974.tif 000005